(57)【要約】      （修正有）【課題】商品販売サイト等におけるＷｅｂページ上のリンクに関するアクセス状況表示システムとして、Ｗｅｂサイトにおける本来のＷｅｂページ上で直接にアクセス状況を把握させることを可能とするアクセス状況表示システムを提供。【解決手段】リンク先アクセス状況表示システムは、Ｗｅｂサーバ１００内に、アクセス状況挿入部１０１，アクセス検知部１０２，アクセス情報解析部１０３，アクセス状況表示設定部１０４と、ページ情報テーブル１０５，アクセス情報履歴テーブル１０６とを備えている。アクセス状況挿入部１０１は、Ｗｅｂページ保持部１１０に格納されたＷｅｂページにアクセス状況表示部を挿入して、各ユーザ端末に送信する。アクセス状況表示設定部１０４は、ページ情報テーブル１０５に格納されたアクセス状況に基づき、アクセス状況表示部の表示パターンを切り替える。【選択図】図１
2007034652.tif 000002
【特許請求の範囲】
【請求項１】
Ｗｅｂページ上に配置されたリンクのリンク先に対するユーザ端末からのアクセスを検知して、検知結果に基づくアクセス状況を管理するアクセス状況管理サーバを備えるリンク先アクセス状況表示システムであって、
前記アクセス状況管理サーバは、
前記リンク先毎のアクセス状況を表示するアクセス情報表示部を、前記Ｗｅｂページ上の各リンクに関連付けた位置に挿入するアクセス状況挿入手段と、
前記アクセス状況に基づき、前記アクセス状況表示部におけるアクセス状況表示設定を行うアクセス状況表示設定手段と
を備えることを特徴とするリンク先アクセス状況表示システム。
【請求項２】
前記アクセス状況表示設定手段は、
予めアクセス状況に応じた表示パターンを定義した定義情報に基づき、前記アクセス状況表示設定を行う手段をさらに備えることを特徴とする請求項１に記載のリンク先アクセス状況表示システム。
【請求項３】
前記アクセス状況管理サーバは、
予めＷｅｂページ上のリンクのリンク先の中からアクセス状況表示対象として設定されたリンク先について、前記ユーザ端末からのアクセス検知を行うアクセス検知手段をさらに備えることを特徴とする請求項１又は２のいずれかに記載のリンク先アクセス状況表示システム。
【請求項４】
前記アクセス状況管理サーバは、
前記リンク先毎に予め設定された時間間隔で、前記検知結果を取得して解析し、前記アクセス状況を集計するアクセス情報解析手段をさらに備えることを特徴とする請求項１〜３のいずれかに記載のリンク先アクセス状況表示システム。
【発明の詳細な説明】
【技術分野】
【０００１】
本発明は、Ｗｅｂサイトを構成するＷｅｂページ中のリンクについて、各リンク先への最新のアクセス状況を表示するための構成に関する。
【背景技術】
【０００２】
近年、インターネットの急速な普及と電子決済システムの進歩により、インターネット上に構築した仮想店舗で商品の販売等を行うＷｅｂサイトが増加している。このようなＷｅｂサイトでは、アクセスしてきたユーザの興味を刺激し商品購入へと結びつけ、売り上げを増加させる試みが盛んに行われている。
このような試みとしては、例えば、Ｗｅｂサイト内で販売している商品についての売上げランキングに基づく商品情報の表示を行う方法が採られているが、ランキング表示の場合、ユーザが興味を示す商品がランク外の場合は表示がされないため、その商品について購入させる機会を失うこととなる。
そのため、Ｗｅｂページ内の各コンテンツについて、コンテンツ毎のアクセス状況を表示することにより興味を引き付けて、コンテンツ閲覧の機会を増加させ、ユーザの購入意欲を：刺激することが考えられている。
このようなコンテンツ毎のアクセス状況を表示するシステムとして、従来、アクセス状況表示対象としてのコンテンツ及びジャンルをマップ上に配置し、各コンテンツ及び各ジャンルのアクセス状況を所定のマップ上に表示する手段を備えた構成が公知となっている（例えば、特許文献１参照。）。
【特許文献１】特開２００４−１２６９３７号公報
【発明の開示】
【発明が解決しようとする課題】
【０００３】
しかし、前記特許文献１に記載の構成では、本来のＷｅｂページとは別に、各コンテンツ等のアクセス状況を表示するマップを用意するものであった。従って、本来のＷｅｂページ上に表示されたリンクとマップ上に表示されたコンテンツマークとの関係が不明確となる場合があった。
この点に関し、前記特許文献１に記載の構成では、マップ上に配置されたコンテンツマークから直接コンテンツを表示させることが可能となっているが、このような構成では、本来のＷｅｂページを閲覧させることが困難となっていた。特に、商品販売サイトのＷｅｂページ等の場合には、コンテンツそのもの以外の関連情報を閲覧させることにより、関連商品等を購入させることを期待しているが、前記特許文献１に記載の構成では本来のＷｅｂページ上に表示された関連情報等を閲覧させることは困難なものとなっていた。
【０００４】
本発明は前記課題を解決するためのものであり、商品販売サイト等におけるＷｅｂページ上のリンクに関するアクセス状況表示システムとして、Ｗｅｂサイトにおける本来のＷｅｂページ上で直接にアクセス状況を把握させることを可能とするアクセス状況表示システムを提供することを目的とする。
【課題を解決するための手段】
【０００５】
前記課題を解決するため本発明は、Ｗｅｂページ上に配置されたリンクのリンク先に対するユーザ端末からのアクセスを検知して、検知結果に基づくアクセス状況を管理するアクセス状況管理サーバを備えるリンク先アクセス状況表示システムであって、前記リンク先毎のアクセス状況を表示するアクセス情報表示部を、前記Ｗｅｂページ上の各リンクに関連付けた位置に挿入するアクセス状況挿入手段と、前記アクセス状況に基づき、前記アクセス状況表示部におけるアクセス状況表示設定を行うアクセス状況表示設定手段とを備えることを特徴とする。
また、前記アクセス状況表示設定手段は、予めアクセス状況に応じて表示パターンを定義した定義情報に基づき、前記アクセス状況表示設定を行う手段をさらに備えることを特徴とする。
また、前記アクセス状況管理サーバは、予めＷｅｂページ上のリンクのリンク先の中からアクセス状況表示対象として設定されたリンク先について、前記ユーザ端末からのアクセス検知を行うアクセス検知手段をさらに備えることを特徴とする。
また、前記アクセス状況管理サーバは、前記リンク先毎に予め設定された時間間隔で、前記検知結果を取得して解析し、前記アクセス状況を集計するアクセス情報解析手段をさらに備えることを特徴とする
【発明の効果】
【０００６】
以上の構成により本発明では、アクセス状況挿入手段がＷｅｂページに挿入したアクセス状況表示部により、Ｗｅｂページ上の各リンク先についてのアクセス状況を表示することとしたので、当該Ｗｅｂページ上でアクセス状況を直接確認させることが可能となる。
また、アクセス状況に応じた表示パターンにより各アクセス状況表示部を表示することとしたので、表示パターンの相違によりアクセス状況を容易に把握させることが可能となる。
また、アクセス状況表示対象とするリンク先を設定可能としたので、Ｗｅｂページ中の必要な範囲でアクセス状況の表示を行うことが可能となる。
また、リンク先毎に予め設定された時間間隔でアクセス状況の集計を行うこととしたので、各リンク先におけるコンテンツの内容等に応じた適切なタイミングでの更新を行うことが可能となる。
【発明を実施するための最良の形態】
【０００７】
以下、本発明の一実施の形態に係るリンク先アクセス状況表示システムについて、図面に基づき説明する。
図１は、本実施の形態に係るリンク先アクセス状況表示システムの概略構成を示すブロック図である。
本実施の形態に係るリンク先アクセス状況表示システムは、Ｗｅｂページ保持部１１０を有するＷｅｂサーバ１００内に、アクセス状況管理サーバを構成するアクセス状況挿入部１０１，アクセス検知部１０２，アクセス情報解析部１０３，アクセス状況表示設定部１０４の各処理部と、ページ情報テーブル１０５，アクセス情報履歴テーブル１０６の各情報格納部とを備えている。
アクセス状況挿入部１０１は、Ｗｅｂページ保持部１１０に格納されたＷｅｂページについて、ページ情報テーブル１０５に定義されたリンクに対応するアクセス状況表示部を挿入して、各ユーザ端末に送信する。
アクセス検知部１０２は、ページ情報テーブル１０５にアクセス状況表示対象として定義されたリンクについてのアクセスを検知して、アクセス情報履歴テーブル１０６にアクセス情報を記録する。
アクセス情報解析部１０３は、アクセス情報履歴テーブル１０６に記録されたアクセス情報を定期的に解析し、解析結果をページ情報テーブル１０５に格納する。
アクセス状況表示設定部１０４は、ページ情報テーブル１０５に格納されたアクセス状況に基づき、アクセス状況挿入部１０１の挿入したアクセス状況表示部の表示パターンを切り替える。
なお、アクセス情報履歴テーブル１０６は、監視対象となるリンク毎に用意する。
【０００８】
図２は、本実施の形態に係るリンク先アクセス状況表示システムを含むネットワーク構成の概要を示す図である。
図２に示すように、リンク先アクセス状況表示システムを構成するＷｅｂサーバ１００は、複数のユーザ端末２００からインターネット等のネットワーク２１０を介してアクセス可能に接続されている。
各ユーザ端末２００は、ブラウザソフト等のＷｅｂページアクセス手段を備えており、Ｗｅｂサーバ１００内のＷｅｂページ等にアクセス可能に構成されている。
【０００９】
図３は、ページ情報テーブル１０５のデータ構造の一例を示す図である。
ページ情報テーブル１０５は、Ｗｅｂページ保持部１１０に保持されたＷｅｂページ毎に用意され、アクセス状況表示対象となるリンク先識別情報としてのＵＲＬ３０１と、当該リンク先のアクセス情報を解析する時間間隔を示す確認間隔３０２と、各リンク先の最新のアクセス数を示すアクセス状況３０３との各データ項目を有する。
なお、本例では、Ｗｅｂページ単位でアクセス状況を管理しているが、カテゴリ分けなどを行い、商品カテゴリごとにアクセス状況を管理・表示することとしてもよい。
【００１０】
図４は、アクセス情報履歴テーブル１０６のデータ構造の一例を示す図である。
アクセス情報履歴テーブル１０６は、ページ情報テーブル１０５の各ＵＲＬ３０１毎に用意され、ユーザ端末２００による各リンク先へのアクセス情報を示すアクセス時刻４０１と、ユーザ識別情報としてのセッションＩＤ４０２とを含む。セッションＩＤは４０２は、各ユーザ端末２００に対して発行したユニークなＩＤを示す。
【００１１】
以上の構成に基づき、本実施の形態に係るアクセス状況表示システムの行う処理を説明する。
図５は、アクセス状況表示設定部１０４が、ページ情報テーブル１０５の各レコードに基づいて行うアクセス状況表示処理の概要を示すイメージ図である。
アクセス状況表示設定部１０４は、ページ情報テーブル１０５に予め設定されたＵＲＬ毎にアクセス状況を取得してアクセス状況の表示及び更新を行うアクセス状況更新プロセス５０１を起動する。
アクセス状況更新プロセス５０１は、ページ情報テーブル１０５から取得したアクセス数に対応する表示パターンを表示パターン定義テーブル５１０から取得する。この場合、ページ情報テーブル１０５の更新状況と、前回取得した更新状況とを比較し、更新状況が異なる場合のみ表示パターンを取得するものとする。
表示パターン定義テーブル５１０は、各アクセス数５１１に応じた表示パターン５１２を予め定義したものである。
アクセス状況更新プロセス５０１は、Ｗｅｂページ５２０の各リンク５２１に対応したアクセス状況表示部５２２に、表示パターン定義テーブル５１０から取得した表示パターン５１２を表示させる。
なお、アクセス状況を更新して表示させる方法としては、Ｗｅｂサーバ１００からのプッシュ型に限らず、Ｗｅｂページ５２０に更新用のスクリプト（例えば、ｊａｖａｓｃｒｉｐｔ（「ｊａｖａ」はサンマイクロシステムズ社の登録商標））等を挿入することにより、ユーザ端末２００からのプル型としてもよい。また、アクセス状況の表示方法として、表示パターンとしては種々のものを用いることができ、例えば、表示色の濃淡でアクセス状況を表示することとしてもよい。さらに、表示パターン定義テーブル５１０を設けずに、アクセス数を示す数値そのものを表示することとしてもよい。
【００１２】
以上の処理の詳細について、各フローチャートに基づき説明する。
図６は、アクセス状況挿入部１０１の行うアクセス状況挿入処理手順を示すフローチャートである。
アクセス状況挿入部１０１は、ユーザ端末２００のブラウザからのＷｅｂページへのアクセスを受付け、Ｗｅｂページ保持部１１０よりＷｅｂページを取得する（ステップ６０１）。
取得したＷｅｂページに含まれるリンクタグを解析し（ステップ６０２）、リンクタグに示すリンク先がアクセス状況表示対象か否かを判定する（ステップ６０３）。具体的には、リンク先のＵＲＬに基づきページ情報テーブル１０５を参照し、一致するＵＲＬが有ればアクセス表示対象とする。
アクセス状況表示対象である場合には、Ｗｅｂページ内のリンクに対応するようにアクセス状況表示部を挿入する（ステップ６０４）。
一方、アクセス状況表示対象でない場合には、そのまま次の処理を行う。
以上の処理を全文終了まで繰り返し（ステップ６０５）、全文終了後に、アクセス状況表示部を挿入したＷｅｂページをユーザ端末２００に送信する（ステップ６０６）。これにより、アクセス状況表示対象となるリンクに対応したアクセス状況表示部を有するＷｅｂページが、ユーザ端末２００のブラウザにより表示される。
【００１３】
図７は、アクセス検知部１０２の行うアクセス情報取得処理手順を示すフローチャートである。
アクセス検知部１０２は、ユーザ端末２００のブラウザより、Ｗｅｂサーバ１００のＷｅｂページ保持部１１０に保持されたＷｅｂページへのアクセスを検知し（ステップ７０１）、セッション情報からアクセス先ＵＲＬとアクセス時刻とセッションＩＤとで構成するアクセス情報を取得する（ステップ７０２）。
取得したアクセス情報に基づき、アクセス状況表示対象であるか否かを判定し（ステップ７０３）、アクセス状況表示対象である場合には、アクセス情報をアクセス情報履歴テーブル１０６に追加する（ステップ７０５）。アクセス状況表示対象であるか否かの判定では、アクセス情報に含まれるＵＲＬに基づきページ情報テーブル１０５を参照し、一致するＵＲＬの有無を確認する。
以上の処理を、ユーザ端末２００からのアクセスに応じて繰り返し行う。
【００１４】
図８は、アクセス情報解析部１０３の行うアクセス情報解析処理を示すフローチャートである。
アクセス情報解析部は１０３は、ページ情報テーブル１０５に格納されているＵＲＬ毎に解析プロセスを起動し、対応するアクセス情報履歴テーブル１０６から定期的にアクセス情報を取得して解析を行う。
各解析プロセスは、まず、ページ情報テーブル１０５より当該リンク先に設定された確認間隔を取得し（ステップ８０１）、対応するアクセス情報履歴テーブル１０６よりアクセス情報を取得する（ステップ８０２）。
次に、取得したアクセス情報を解析してアクセス状況を取得する（ステップ８０３）。アクセス情報の解析では、アクセス履歴情報テーブル１０６を参照し、セッションＩＤの重複するレコードを削除して、ユニークなセッションＩＤの合計数をアクセス状況として算出する。
最後に取得したアクセス状況によりページ情報テーブル１０５のアクセス状況を更新し（ステップ８０４）、確認間隔として設定された時間の経過まで待機した後（ステップ８０５）、ステップ８０２からの処理を繰り返す。
なお、アクセス状況はこの他にも、統計的な値から抽出した頻度などアクセス状況の表示の仕方によって種々の方法とることができる。
また、確認間隔はアクセス状況表示対象毎に設定できるようになっているため、アクセスの集中するトップページからのリンク部分では確認間隔を短くし、より詳細なアクセス状況が提供できるようにし、個々の商品表示ページなどはアクセスが頻繁に発生しないため、確認間隔を長くするなどといった方法で、ページの特徴に応じて確認間隔を変更してもよい。
【００１５】
図９は、アクセス状況表示設定部１０４の行うアクセス状況更新処理手順を示すフローチャートである。
アクセス状況表示設定部１０４は、ページ情報テーブル１０５に格納されているＵＲＬ毎に更新プロセスを起動し、ページ情報テーブル１０５から定期的にアクセス状況を取得して、アクセス状況表示部の更新処理を行う。
各更新プロセスは、ページ情報テーブル１０５を定期的に参照し、該当するリンク先のアクセス状況を取得する（ステップ９０１）。
取得したアクセス状況を、前回取得したアクセス状況と比較し（ステップ９０２）、アクセス状況に変化がある場合には表示パターン定義テーブル５１０からアクセス状況に対応する表示パターンを取得して（ステップ９０３）、アクセス状況表示部５２２に取得した表示パターンを表示させる（ステップ９０４）。
以上の処理をＷｅｂページが表示されている間、繰り返して行う。
【００１６】
図１０は、図９に示すアクセス状況表示設定部１０４の処理により、Ｗｅｂページ上にアクセス状況を表示した例を示す図である。
Ｗｅｂページを表示したＷｅｂ画面１０００において、各リンク先に対応するアクセス状況表示部１００１〜１００３が、アクセス状況表示設定部１０４により設定された表示パターンで表示される。
これにより、各リンク先毎のアクセス状況を、表示パターンの相違から容易に把握させることが可能となる。
【００１７】
以上のように、本実施の形態に係るリンク先アクセス状況表示システムでは、Ｗｅｂページ内の所定のリンク先に対するアクセス状況を、所定の表示パターンで、Ｗｅｂページ内のリンクに対応する位置に配置したアクセス状況表示部に表示することとしたので、各リンク先のアクセス状況を容易かつリアルタイムに把握させることが可能となる。
なお、前記実施の形態では、Ｗｅｂページ保持部を有するＷｅｂサーバ内に、アクセス状況管理サーバを構成する各処理部及び情報格納部を備えることとしているがこれに限らず、Ｗｅｂサーバとアクセス状況管理サーバとを異なるサーバ端末で構成することとしてもよい。
【図面の簡単な説明】
【００１８】
【図１】本発明の一実施の形態に係るリンク先アクセス状況表示システムの概略構成を示すブロック図である。
【図２】本発明の一実施の形態に係るリンク先アクセス状況表示システムを含むネットワーク構成を示す図である。
【図３】ページ情報テーブルのデータ構造の一例を示す図である。
【図４】アクセス履歴情報テーブルのデータ構造の一例を示す図である。
【図５】アクセス状況表示設定部の行う処理の概要を示すイメージ図である。
【図６】アクセス状況挿入処理手順を示すフローチャートである。
【図７】アクセス検知処理手順を示すフローチャートである。
【図８】アクセス情報解析処理手順を示すフローチャートである。
【図９】アクセス状況更新処理手順を示すフローチャートである。
【図１０】アクセス状況を表示する画面の一例を示す図である。
【符号の説明】
【００１９】
１００  Ｗｅｂサーバ、１０１  アクセス状況挿入部、１０２  アクセス検知部、１０３  アクセス情報解析部、１０４  アクセス状況表示設定部、１０５  ページ情報テーブル１０５  アクセス情報履歴テーブル、１１０  Ｗｅｂページ保持部。
【図１】
2007034652.tif 000003
【図２】
2007034652.tif 000004
【図３】
2007034652.tif 000005
【図４】
2007034652.tif 000006
【図５】
2007034652.tif 000007
【図６】
2007034652.tif 000008
【図７】
2007034652.tif 000009
【図８】
2007034652.tif 000010
【図９】
2007034652.tif 000011
【図１０】
2007034652.tif 000012